(57)【特許請求の範囲】
【請求項１】
複数本のケーブルをそれらの先端部を固定し、該先端部を牽引して該複数本のケーブルを一度に延線するケーブル延線工法において、ケーブル延線経路の各コーナー部にそれぞれコーナーコロを配置するとともに、前記複数本のケーブルをそれぞれに分離し、かつ、並列状態で案内する整線コロを外周側のケーブルが立ち上がるように傾斜させて各コーナー部の前段に配置し、該ケーブル延線経路の直線部から該外周側のケーブルが立ち上がるように該複数本のケーブルを並列状態で傾斜させて前記コーナーコロに導くようにしたことを特徴とするケーブル延線工法。
【請求項２】
上記整線コロが、各コーナー部の前段にケーブルの延線経路に沿って複数配置され、かつ、該複数の整線コロが、その傾斜角をコーナー部に近づくにつれ大きくするようにそれぞれ傾斜されていることを特徴とする請求項１記載のケーブル延線工法。
【請求項３】
複数本のケーブルをそれぞれに分離し、かつ、並列状態で案内する整線コロが、外周側のケーブルが立ち上がるように傾斜させて各コーナー部の後段に配置されていることを特徴とする請求項１または２記載のケーブル延線工法。
【発明の詳細な説明】
【０００１】
【発明の属する技術分野】
この発明は、例えばプラント建設のケーブル布設工事における電力ケーブルや制御ケーブルの延線工法に関するものである。
【０００２】
【従来の技術】
原子力発電プラントなどのプラント建設では、その電気設備に各種ケーブルが多量に使用される。そして、これらのケーブル１の布設では、まず図６に示されるように、ケーブルトレイ２が建築物の側壁３等に直接または支持部材によって支持されて該ケーブル１の延線経路に沿って敷設される。さらに、このケーブルトレイ２のコーナー部にコーナーコロ４が配設される。
そこで、複数のケーブルドラム（図示せず）のそれぞれに巻回されている各ケーブル１の先端部をまとめ、該先端部を引いて、ケーブルトレイ２内を引き回し、所定の電気装置位置まで導く。この時、ケーブルトレイ２のコーナー部では、多数本のケーブル１はコーナーコロ４の巻き掛けられて該コーナーコロ４を回転させつつスムーズに延線される。延線された多数本のケーブル１は絡みや撓みを直され、それぞれ真っすぐになるように整線されてケーブルトレイ２内に一括して収容され、布設される。そして、ケーブルトレイ２内に収容されたケーブル１はそれぞれケーブルトレイ２の子桁に結束される。
【０００３】
しかしながら、従来のケーブル延線工法は以上のように、ケーブル１をケーブルトレイ２内を引き回して延線するようにしているので、ケーブル１とケーブルトレイ２の子桁との間の摩擦によりケーブル１の牽引負荷が増大するとともに、ケーブル１の損傷を発生させてしまうという課題があった。
このような課題を解消するために、ケーブルトレイ２の子桁にローラを取り付けて、ケーブル１の延線時にローラを回転させてケーブル１の引き回しをスムーズに行わせるようにした改善策としてのケーブル延線工法が提案されていた。
【０００４】
【発明が解決しようとする課題】
従来のケーブル延線工法は以上のように、ケーブル１をケーブルトレイ２内を引き回して延線するようにしていた。
そこで、ケーブル１とケーブルトレイ２の子桁との間の摩擦によりケーブル１の牽引負荷が増大するとともに、ケーブル１の損傷を発生させてしまうという課題があった。また、ケーブル１をケーブルトレイ２に１層布設した後、２層目のケーブル１を延線しようとすると、延線しようとするケーブル１と布設されているケーブル１との間の摩擦熱により、ケーブル１の絶縁被膜が溶融、損傷してしまうという課題があった。さらには、ケーブル１の延線時に、多数本のケーブル１が回転して絡み合ってしまい、ケーブル１を真っすぐにする整線作業に多大な労力を要するという課題もあった。
また、多数本のケーブル１をケーブルトレイ２の直線部から直接コーナーコロ４に巻き掛けてコーナー部を通過させている。この時、多数本のケーブル１は、初期的には図７の（ａ）に示されるようにコーナーコロ４の軸に対して直交する方向に並んでコーナーコロ４に導かれる。この状態において、牽引に伴う張力により、各ケーブル１にはコーナーコロ４側に位置するケーブル１の外周面に沿ってコーナーコロ４側に滑り落ちようとする力が作用し、各ケーブル１はコロ側のケーブル１の外周面に沿って上側もしくは下側に滑り落ちる。そして、この過渡状態を経て、図７の（ｂ）に示すように、コーナーコロ４の外周面に沿って並んでコーナー部を通過することになる。しかしながら、このコロ側に滑り落ちようとする力は、図７の（ａ）に矢印で示すように、コロ側に位置するケーブル１の外周面に沿って上側にも下側にも作用するので、図７の（ｂ）に示されるコーナーコロ４の外周面に沿うケーブル１の配列順序が各コーナー部で一定とならず、延線される多数本のケーブル１の絡み合いを発生させてしまい、整線作業に多大な労力を要するという課題もあった。
【０００５】
また、ケーブルトレイ２の子桁にローラを取り付けてケーブル１を延線する改善策としての従来のケーブル延線工法では、１層目のケーブル１の延線におけるケーブル１とケーブルトレイ２の子桁との間の摩擦によるケーブル１の牽引負荷の増大やケーブル１の損傷を防止できるものの、上記従来のケーブル延線工法における他の課題を何ら解消するものではなかった。
【０００６】
この発明は、上記のような課題を解決するためになされたもので、ケーブルの牽引負荷および損傷の発生を低減するとともに、ケーブルの絡み合いの発生を抑えて、整線作業の負荷を低減できるケーブル延線工法を得ることを目的とする。
【０００７】
【課題を解決するための手段】
この発明に係るケーブル延線工法は、複数本のケーブルをそれらの先端部を固定し、該先端部を牽引して該複数本のケーブルを一度に延線するケーブル延線工法において、ケーブル延線経路の各コーナー部にそれぞれコーナーコロを配置するとともに、該複数本のケーブルをそれぞれに分離し、かつ、並列状態で案内する整線コロを外周側のケーブルが立ち上がるように傾斜させて各コーナー部の前段に配置し、該ケーブル延線経路の直線部から該外周側のケーブルが立ち上がるように該複数本のケーブルを並列状態で傾斜させて該コーナーコロに導くようにしたものである。
【００１１】
また、上記整線コロが、各コーナー部の前段にケーブルの延線経路に沿って複数配置され、かつ、該複数の整線コロが、その傾斜角をコーナー部に近づくにつれ大きくするようにそれぞれ傾斜されているものである。
【００１２】
また、複数本のケーブルをそれぞれに分離し、かつ、並列状態で案内する整線コロが、外周側のケーブルが立ち上がるように傾斜させて各コーナー部の後段に配置されているものである。
【００１３】
【発明の実施の形態】
以下、この発明の実施の形態を図について説明する。
実施の形態１．
図１はこの発明の実施の形態１に係る整線コロを示す側面図、図２はその上面図、図３はその正面図である。
図において、ローラ取付ブラケット１１は矩形平板状の基部１１ａ、該基部１１ａの両長辺を下側に直角に折り曲げて成形された一対の腕部１１ｂ、１１ｂおよび該基部１１ａの両短辺を上側に直角に折り曲げて成形された一対の支持片１１ｃ、１１ｃから構成されている。そして、基部１１ａには、長手方向に伸びる長穴１１ｄが形成されている。さらに、一対の腕部１１ｂ、１１ｂには、それぞれ回動中心となる穴１１ｅと該穴１１ｅを円弧中心とする円弧穴１１ｆが形成されている。
この基部１１ａには、長穴１１ｄを介して３本の縦軸ローラ１２が長穴１１ｄの長手方向に移動可能に、かつ、回転可能に立設され、さらに長穴１１ｄの両端に２本の縦軸ローラ１２が回転可能に立設されている。なお、これらの縦軸ローラ１２は、蝶ナット１３により基部１１ａに着脱可能に取り付けられている。また、横軸ローラ１４が一対の支持片１１ｃ、１１ｃに回転自在に取り付けられている。
ここで、横軸ローラ１４の軸は、基部１１ａの主面に対して平行となっており、縦軸ローラ１２の軸は、基部１１ａの主面に対して直交している。そして、５本の縦軸ローラ１２は、横軸ローラ１４の軸に平行に並設されている。
【００１４】
固定ブラケット１５は、矩形平板状の基部１５ａおよびこの基部１５ａの両長辺を直角に折り曲げて成形された一対の腕部１５ｂ、１５ｂから構成されている。各腕部１５ｂはその一端側が延出され、該延出部に穴１５ｃが穿設され、該穴１５ｃから所定距離隔ててネジ穴（図示せず）が設けられている。なお、穴１５ｃとネジ穴との位置関係は、上記ローラ取付ブラケット１１における穴１１ｅと円弧穴１１ｆとの位置関係と一致している。基部１５ａの他端側には、固定ボルト１６が取り付けられている。また、基部１５ａには、その主面に直交するように受け台１７が取り付けられている。
また、操作ハンドル部１８は一端に固定ボルト１９が取り付けられた作動腕２０とこの作動腕２０を揺動動作させるハンドル２１とから構成されている。この操作ハンドル部１８は、固定ボルト１９を固定ボルト１６に相対するように基部１５ａの主面に取り付けられている。なお、固定ボルト１６、１９および受け台１７から固定手段が構成されている。
【００１５】
そして、ローラ取付ブラケット１１はその一対の腕部１１ｂ、１１ｂの内壁面を一対の腕部１５ｂ、１５ｂの外壁面に面するように、かつ、穴１１ｅ、１５ｃの穴中心を一致させて、固定ブラケット１５に嵌め合わされ、穴１１ｅ、１５ｃを介して回転軸としての連結ボルト２２により該連結ボルト２２回りに回動可能に連結されている。この時、各腕部１５ｂに形成されたネジ穴は各腕部１１ｂに形成された円弧穴１１ｆ内に位置している。さらに、締着部材としての蝶ネジ２３が外側からネジ穴に螺着されており、この蝶ネジ２３を締付けることにより、ローラ取付ブラケット１１が固定ブラケット１５に締着固定されるようになっている。なお、円弧穴１１ｆおよび蝶ネジ２３により角度調整手段が構成されている。
【００１６】
このように構成された整線コロ１０を用いたケーブルの延線工法について説明する。
まず、ケーブルトレイ２が、建築物の側壁３等に直接または支持部材によって支持されて該ケーブル１の延線経路に沿って敷設される。さらに、このケーブルトレイ２の各コーナー部にコーナーコロ４が配設される。
ついで、整線コロ１０のハンドル２１を操作して、図１中一点鎖線で示されるように、作動腕２０を開放状態に作動させる。この時、固定ボルト１６、１９間が広げられる。そして、固定ボルト１６、１９間を通してケーブルトレイ２の側板である取付基材としての親桁２ａの上端を受け台１７に宛てがう。そこで、ハンドル２１を操作して作動腕２０を閉じ、固定ボルト１６、１９を回転させて延出させ、固定ボルト１６、１９によりケーブルトレイ２の親桁２ａを両側から加圧挟持し、整線コロ１０をケーブルトレイ２に取り付ける。この整線コロ１０は、連結ボルト２２の軸心方向をケーブルトレイ２の長さ方向に一致されて、図４に示されるように、ケーブルトレイ２に所定間隔毎に取り付けられ、ケーブル１の延線路を形成する。これらの整線コロ１０は、基部１１ａの主面、即ち横軸ローラ１４の軸方向が水平となっている。
つぎに、各コーナーコロ４の前後位置で、ケーブルトレイ２の親桁２ａに整線コロ１０を取り付ける。この整線コロ１０においては、蝶ネジ２３を緩めて、図１に一点鎖線で示されるように、ローラ取付ブラケット１１を連結ボルト２２回りに回動させる。そして、蝶ネジ２３を締付けて、ローラ取付ブラケット１１を固定ブラケット１５に締着固定する。これらのコーナーコロ４の前後に配設された整線コロ１０は、延線される外周側のケーブル１が立ち上がるように、基部１１ａの主面（横軸ローラ１４の軸方向）を傾斜させて、ローラ取付ブラケット１１が固定ブラケット１５に固定されている。
【００１７】
そこで、複数のケーブルドラム（図示せず）のそれぞれに巻回されている各ケーブル１の先端部をまとめ、該先端部を引いて、各整線コロ１０において各ケーブル１をそれぞれ縦軸ローラ１２間に分けて収めつつ、所定の電気装置位置まで導く。複数本のケーブル１は、直線部では、整線コロ１０により、水平状態を保ちつつ、縦軸ローラ１２および横軸ローラ１４を回転させつつ、スムーズに牽引される。そして、コーナー部では、コーナーコロ４の前段に配置された整線コロ１０により、水平状態から外周側のケーブル１が立ち上がってコーナーコロ４に導かれる。この時、複数本のケーブル１は、図５の（ａ）に示すように、それらの並ぶ方向がコーナーコロ４の軸に対して傾斜してコーナーコロ４に導かれるので、牽引力により各ケーブル１に作用する力は、図５の（ａ）中矢印で示されるように、自ケーブルのコロ側に位置するケーブル１の外周面に沿って上側に滑り落ちるように作用する。そこで、各ケーブル１は自ケーブル１のコロ側に位置するケーブル１の外周面に沿って上側に滑り落ち、図５の（ｂ）に示すように、コーナーコロ４の外周面に沿って並ぶ各ケーブル１の位置は固定される。このようにしてコーナーコロ４を通過した複数本のケーブル１は、コーナーコロ４の後段に配置された整線コロ１０により、外周側のケーブル１が立ち上がった傾斜状態から水平状態に戻されて次の整線コロ１０に導かれる。
【００１８】
このようにして多数の整線コロ１０で形成された延線路に延線された複数本のケーブル１は、各整線コロ１０からケーブルトレイ２内に移動され、それぞれ真っすぐになるように整線されてケーブルトレイ２内に一括して収容され、布設される。そして、ケーブルトレイ２内に収容されたケーブル１はそれぞれケーブルトレイ２の子桁２ｂに結束される。
さらに、２層目のケーブル１を布設する場合には、上述の延線作業を繰り返し行うことになる。
このようにしてケーブル１の布設が終われば、固定ボルト１６、１９による親桁２ａの挟持を解除し、ハンドル２１を操作して、作動腕２０を開放状態に作動させ、各整線コロ１０を取り外し、ケーブル１の布設作業が完了する。
【００１９】
この実施の形態１のケーブル延線工法によれば、整線コロ１０をケーブルトレイ２の親桁２ａに取り付けてケーブルトレイ２に沿って所定間隔毎に多数配置し、各コーナ部にコーナコロ４を配置し、さらにコーナコロ４の前段に配置した整線コロ１０のローラ取付ブラケット１１の主面を傾斜させて、直線部では複数本のケーブル１をそれぞれに分離し、かつ、水平な並列状態で案内し、コーナ部では複数本のケーブル１をそれぞれに分離し、かつ、傾斜した並列状態でコーナコロ４に導くようにして複数本のケーブル１を一括して延線している。
そこで、コーナコロ４の外周面に沿った複数本のケーブル１の配列順序が固定され、コーナコロ４の外周面に沿ったケーブルの配列順序が不定となることに起因するケーブルの絡み合いの発生が抑えられる。また、ケーブル１が縦軸ローラ１２および横軸ローラ１４を回転させつつ牽引され、摩擦による牽引負荷が低減でき、ケーブル１の損傷も抑えられる。さらに、複数本のケーブル１が縦軸ローラ１２により分離されて延線され、ケーブル１の絡み合いが発生せず、ケーブルトレイ２でのケーブルの整線作業が著しく軽減される。さらには、ケーブルトレイ２に沿ってケーブル延線経路を形成しており、ケーブル１の布設場所と延線場所とが異なり、ケーブルトレイ２内に多層に布設するような場合にも、ケーブル１間の摩擦による牽引力の増大やケーブル１の絶縁被膜の溶融、損傷がなく、簡易に適用することができる。
さらに、コーナコロ４の後段に配置した整線コロ１０のローラ取付ブラケット１１の主面を傾斜させているので、コーナコロ４を通過時に鉛直方向に配列する複数本のケーブル１が、該整線コロ１０により外周側のケーブル１が立ち上がるように傾斜した配列状態を経て、横軸ローラ１４の軸方向が水平となっている次の整線コロ１０に導かれる。そこで、複数本のケーブル１は、コーナコロ４を通過した後、横軸ローラ１４が傾斜している整線コロ１０を経て横軸ローラ１４が水平な整線コロ１０にスムーズに移行できる。
【００２０】
また、この実施の形態１による整線コロ１０は、縦軸ローラ１２および横軸ローラ１４を備えたローラ取付ブラケット１１が固定ブラケット１５に連結ボルト２２回りに回動可能に取り付けられ、連結ボルト２２の軸心を円弧中心とする円弧穴１１ｆがローラ取付ブラケット１１の腕部１１ｂに設られ、蝶ばね２３が該円弧穴１１ｆを介して固定ブラケット１５の腕部１５ｂに螺着され、固定ボルト１６および受け台１７が固定ブラケット１５の基部１５ａに取り付けられ、さらに固定ボルト１９を備えた操作ハンドル部１８が固定ブラケット１５の基部１５ａに取り付けられて構成されているので、蝶バネ２３の緩め／締め付け動作により、ローラ取付ブラケット１１の主面、即ち横軸ローラ１４を任意の角度に調整維持することができる。
そこで、直線部では複数本のケーブル１をそれぞれに分離し、かつ、水平な並列状態で案内し、コーナ部では複数本のケーブル１をそれぞれに分離し、かつ、傾斜した並列状態でコーナコロ４に導くケーブル延線経路をこの整線コロ１０とコーナコロ４のみで簡易に構成できる。
また、この整線コロ１０は、縦軸ローラ１２が長穴１１ｄを介して基部１１ａに蝶ネジ１３により取り付けられているので、縦軸ローラ１２を長穴１１ｄの長手方向にスライド移動できるとともに、着脱できる。そこで、延線するケーブル１の太さや本数に応じて、縦軸ローラ１２の間隔や本数を調整でき、汎用性に富む整線コロ１０が得られる。
【００２１】
実施の形態２．
この実施の形態２では、コーナ部の前段に近接して複数の整線コロ１０を配置し、これらの整線コロ１０の傾斜角がコーナ部に近づくにつれ大きくなるように各整線コロ１０を傾斜させるものとしている。なお、他の構成は上記実施の形態１と同様に構成されている。
この場合、複数本のケーブル１はそれぞれ分離され、かつ、並列状態を維持しつつ、直線部の水平状態から徐々に立ち上がり、所定の傾斜角でコーナコロ４に導かれるケーブル延線経路が構成される。そこで、ケーブル１の急激な立ち上がりに起因する牽引負荷の増大が抑えられ、スムーズに複数本のケーブル１を一括して延線することができる。
【００２２】
なお、上記各実施の形態では、コーナ部の前後に配置される整線コロ１０を傾斜させるものとしているが、コーナ部の前段に配置される整線コロ１０のみを傾斜させるようにしてもよい。この場合、コーナコロ４に沿ったケーブル１の配列順序を固定できるという効果は得られる。
また、上記各実施の形態では、連結ボルト２２の軸心を円弧中心とする円弧穴１１ｆをローラ取付ブラケット１１の腕部１１ｂに設け、蝶ばね２３を該円弧穴１１ｆを介して固定ブラケット１５の腕部１５ｂに螺着して、蝶ばね２３の緩め／締め付け動作により、ローラ取付ブラケット１１の主面を任意の角度に調整維持するものとしているが、角度調整手段はこれに限定されるものではなく、ローラ取付ブラケット１１の主面の水平面に対する角度を調整でき、角度調整されたローラ取付ブラケット１１を固定ブラケット１５に固定できるものであればよい。
【００２３】
【発明の効果】
この発明は、以上のように構成されているので、以下に記載されるような効果を奏する。
【００２７】
また、この発明によれば、複数本のケーブルをそれらの先端部を固定し、該先端部を牽引して該複数本のケーブルを一度に延線するケーブル延線工法において、ケーブル延線経路の各コーナー部にそれぞれコーナーコロを配置するとともに、該複数本のケーブルをそれぞれに分離し、かつ、並列状態で案内する整線コロを外周側のケーブルが立ち上がるように傾斜させて各コーナー部の前段に配置し、該ケーブル延線経路の直線部から該外周側のケーブルが立ち上がるように該複数本のケーブルを並列状態で傾斜させて該コーナーコロに導くようにしたので、ケーブルの牽引負荷および損傷の発生を低減するとともに、ケーブルの絡み合いの発生を抑えて、整線作業の負荷を低減できるケーブル延線工法が得られる。
【００２８】
また、上記整線コロが、各コーナー部の前段にケーブルの延線経路に沿って複数配置され、かつ、該複数の整線コロが、その傾斜角をコーナー部に近づくにつれ大きくするようにそれぞれ傾斜されているので、ケーブルの急激な立ち上がりに起因する牽引負荷の増大を抑えることができる。
【００２９】
また、複数本のケーブルをそれぞれに分離し、かつ、並列状態で案内する整線コロが、外周側のケーブルが立ち上がるように傾斜させて各コーナー部の後段に配置されているので、コーナコロ通過時に鉛直方向に配列する複数本のケーブル配列姿勢をスムーズに水平状態に変換することができる。
【図面の簡単な説明】
【図１】  この発明の実施の形態１に係る整線コロを示す側面図である。
【図２】  この発明の実施の形態１に係る整線コロを示す上面図である。
【図３】  この発明の実施の形態１に係る整線コロを示す正面図である。
【図４】  この発明の実施の形態１に係るケーブル延線工法を説明する図である。
【図５】  この発明の実施の形態１に係るケーブル延線工法におけるコーナコロでのケーブルの動作を説明する図である。
【図６】  従来のケーブル延線工法を説明する図である。
【図７】  従来のケーブル延線工法におけるコーナコロでのケーブルの動作を説明する図である。
【符号の説明】
１  ケーブル、２  ケーブルトレイ、２ａ  親桁（取付基材）、４  コーナコロ、１０  整線コロ、１１  ローラ取付ブラケット、１１ｆ  円弧穴（角度調整手段）、１２  縦軸ローラ、１４  横軸ローラ、１５  固定ブラケット、１６、１９  固定ボルト（固定手段）、１７  受け台（固定手段）、２２  連結ボルト（回転軸）、２３  蝶ナット（角度調整手段）。
【図１】
0003816179.tif 000002
【図２】
0003816179.tif 000003
【図３】
0003816179.tif 000004
【図４】
0003816179.tif 000005
【図５】
0003816179.tif 000006
【図６】
0003816179.tif 000007
【図７】
0003816179.tif 000008